(57)【特許請求の範囲】
【請求項１】
容器とキャップ本体、キャップ本体に取着したスライド部材とオーバーキャップとからなる液注出容器であって、
キャップ本体は、上壁と、該上壁に立設され、内部に流通孔と連杆を介して立設された栓体を設けた嵌合筒とを具えており、
スライド部材は、一つの押圧操作部と、該押圧操作部に連設した傾斜係合部と、該傾斜係合部の先端に連設した弾性変形部と、弾性変形部の先端に連設した連結部とから形成されており、
前記連結部は、キャップ本体の上壁の端縁に取着され、スライド部材がキャップ本体の上壁面をスライドするようにされており、
オーバーキャップは、キャップ本体の栓体によって開閉される注出孔と、スライド部材の傾斜係合部に係合する係合片を具えていることを特徴とする液注出容器。
【請求項２】
スライド部材は、キャップ本体にヒンジを介して取着され、一体成形されていることを特徴とする請求項１記載の液注出容器。
【請求項３】
弾性変形部が、連結部と傾斜係合部との間に連設された山型状のばね部材であることを特徴とする請求項１記載の液注出容器。
【発明の詳細な説明】
【技術分野】
【０００１】
本発明は、液注出容器、とくに、キャップ本体に取着されたスライド部材を押圧することにより、オーバーキャップの注出孔を開くようにした液注出容器に関するものである。
【背景技術】
【０００２】
容器口筒部に、上面に嵌合筒を立設したキャップ本体を取着し、前記嵌合筒に、上端に注出口を設けた蓋体を上下動自在に装着し、キャップ本体の中央部に配設した栓体によって蓋体の注出口を開閉するようにした液注出容器は、従来より知られている（例えば、特許文献１参照）。
【特許文献１】特開２０００−１６４５１号公報
【発明の開示】
【発明が解決しようとする課題】
【０００３】
しかしながら、上記特許文献１記載の従来技術では、蓋体がキャップ本体の嵌合筒に嵌合されているので、蓋体の上下動操作が簡単でないという問題があった。
【０００４】
本発明は、上記の問題を解決することを課題とし、キャップ本体に取着されたスライド部材を押圧することにより、蓋体を上昇させるようにした液注出容器を提供することを目的とする。
【課題を解決するための手段】
【０００５】
本発明は、上記の課題を解決するため、液注出容器として、容器とキャップ本体、キャップ本体に取着したスライド部材とオーバーキャップとからなる液注出容器であって、キャップ本体は、上壁と、該上壁に立設され、内部に流通孔と連杆を介して立設された栓体を設けた嵌合筒とを具えており、スライド部材は、一つの押圧操作部と、該押圧操作部に連設した傾斜係合部と、該傾斜係合部の先端に連設した弾性変形部と、弾性変形部の先端に連設した連結部とから形成されており、前記連結部は、キャップ本体の上壁の端縁に取着され、スライド部材がキャップ本体の上壁面をスライドするようにされており、オーバーキャップは、キャップ本体の栓体によって開閉される注出孔と、スライド部材の傾斜係合部に係合する係合片を具えていることを特徴とする構成を採用する。
【０００６】
スライド部材の実施例として、スライド部材は、キャップ本体にヒンジを介して取着され、一体成形されていることを特徴とする構成を採用し、また、弾性変形部の実施例として、弾性変形部が、連結部と傾斜係合部との間に連設された山型状のばね部材であることを特徴とする構成を採用する。
【発明の効果】
【０００７】
キャップ本体に、オーバーキャップの注出孔を開閉する栓体を連杆を介して立設した流通孔を設けるとともに、スライド部材を配設し、スライド部材に押圧操作部と傾斜係合部を設け、オーバーキャップに傾斜係合部に係合する係合片を設けているので、スライド部材を押圧することによってオーバーキャップを上昇させ、注出孔を開くことができる。
【０００８】
また、スライド部材に弾性変形部を設けているので、スライド部材の押圧を解くと、弾性変形部が復元することによって、スライド部材が元の位置まで戻る。
次いで、オーバーキャップを押下げると下降させることができ、注出孔を閉じることができる。
したがって、オーバーキャップの注出孔の開閉が極めて簡単にできるようになった。
【発明を実施するための最良の形態】
【０００９】
次に、本発明の実施形態について、図面を参照して説明する。
図１において、Ａは容器、Ｂはキャップ本体、Ｃはキャップ本体Ｂに取着されたスライド部材、Ｄはキャップ本体Ｂに上下動自在に装着されたオーバーキャップである。
【００１０】
容器Ａは、口筒部１と肩部２、胴部３と底部４とからなり、口筒部１の外周には、ねじ５が螺設され、その下方に、ネックリング６が設けられている。
【００１１】
図２に示すように、キャップ本体Ｂは、上壁７と外周壁８を具えており、外周壁８の内側には、上壁７下面から取付筒９と密封リング１０が垂設されている。
取付筒９には、容器Ａの口筒部１のねじ５に螺合するねじ１１が螺設されている。
上壁７の内周縁に沿って嵌合筒１２が立設されており、嵌合筒１２の内周と外周には、膨出突条１３ａ、１３ｂが突設されている。
【００１２】
上壁７には、嵌合筒１２内周に流通孔１４が形成され、その中心部には、単数、または複数の連杆１５によって接続され、上方に延びる栓体１６が形成されている。
【００１３】
嵌合筒１２外周から離れた所定の位置には、スライド部材Ｃのヒンジ部を固定する位置決め部材１７が突設されており、位置決め部材１７の内側には、一定高さの一対の係止リブ１８が上壁７より立設されている。
位置決め部材１７の外側面上端には、外方に突出する係止突条１９が設けられている。
【００１４】
スライド部材Ｃは、キャップ本体Ｂの上壁７の端縁に、ヒンジ２０を介して連設されており、押圧操作部２１と傾斜係合部２２、押圧操作部２１の押圧に応じて変形する弾性変形部２３と、ヒンジとの連結部２４とからなっている。    
押圧操作部２１は、ヒンジ２０の反対側に位置し、上壁２５と、外側より押圧できる外周壁２６と、側壁２７とからなっている。
【００１５】
傾斜係合部２２は、双方の側壁２７の上面２５ａに続く傾斜面２２ａと水平面２２ｂによって形成されており、後述するオーバーキャップＤの係合片が係合している。
側壁２７の側面下方部には、水平面２２ｂまでの高さで水平に延びるリブ２８が突設されており、該リブ２８に対応して、上壁７には、スライド部材Ｃに対する案内部材２９が立設されている。
案内部材２９の上端には、リブ２８の上面に係合する突条２９ａが突設されており、スライド部材Ｃのガイドとともに、浮き上がることを阻止している。
【００１６】
弾性変形部２３は、傾斜係合部２２のそれぞれの端部と、連結部２４の両端部との間に連設され、自由状態では山型へ延びるばね部材によって形成された連結片となっており、押圧操作部２１の押圧時には、図４に示すように、傾斜係合部２２と、連結部２４との間隙が縮小され、山型の頂点を上昇させ、弾性変形させるようになっている。
【００１７】
連結部２４は、ヒンジ２０に連設された角形の板状体に形成され、内側壁面上端は、位置決め部材１７の係止突条１９によって押さえられ、外側壁面は、ヒンジ２０の端部に接続されている。
【００１８】
キャップ本体Ｂの上壁７と外周壁８には、スライド部材Ｃの押圧操作部２１に対応して操作用の凹部３０が形成されており、スライド部材Ｃの押圧時に、一定の位置まで押圧できるようになっている。
【００１９】
図３に示すように、オーバーキャップＤは、頂壁３１とドーム状の外周壁３２、および内筒３３とを具えており、頂壁３１の中央部には、注出筒３４が立設され、中心には、注出孔３５が穿孔されている。
内筒３３の外側には、キャップ本体Ｂの嵌合筒１２を挟持するように外筒３６が垂設されており、外筒３６の外周面の所定位置には、上下方向に延び、スライド部材Ｃの傾斜面２２ａに係合する係合片３７が突設され、係合片３７に直交する位置で、キャップ本体Ｂの上壁７に立設された係止リブ１８に係止される廻り止めリブ３８が突設されている。
【００２０】
外筒３６の内周面には、嵌合筒１２の外周の膨出突条１３ｂと係合し、オーバーキャップＤの上下動を規制する係合突条３９が設けられている。  
外周壁３２の下端部には、スライド部材Ｃの押圧操作部２１と連結部２４に対応して切欠部４０、４１が設けられている。
【００２１】
次に、本発明液注出容器の使用態様と作用効果について説明する。
容器Ａ内には、内容液として、飲料液、化粧液、洗剤等が収納され、キャップ本体Ｂが取着される。
次いで、オーバーキャップＤが被嵌されるが、その際には、内筒３３と外筒３６がキャップ本体Ｂの嵌合筒１２に嵌合され、廻り止めリブ３８が一対の係止リブ１８によって挟持され、係合片３７は、スライド部材Ｃの傾斜係合部２２の下端部２２ｂに係合される。
そして、注出孔３５は、栓体１６によって閉じられる。
【００２２】
容器内の内容液を使用するときには、図４に示すように、スライド部材Ｃの押圧操作部２１の外周壁２６を押圧すると、傾斜係合部２２がオーバーキャップＤの係合片３７を押上げ、オーバーキャップＤを上昇させる。
【００２３】
栓体１６が注出孔３５から離れて注出孔３５が開口し、係合片３７は、側壁２７の上面２５ａに接する位置で、開口状態が維持される。
その際、外周壁２６は、キャップ本体Ｂの凹部２９の表面と一致するので、そのまま手指で押圧を維持できる。
次いで、容器Ａを倒立させると、注出孔３５より内容液を注出することができる。
【００２４】
注出を止めるときには、容器Ａを正立させ、スライド部材Ｃの外周壁２６から手指を離すと、スライド部材Ｃは、弾性変形部２３の復元力により元の位置に戻り、オーバーキャップＤを押下げると、係合片３７が傾斜係合部２２の下端部２２ｂに係合し、栓体１６により注出孔３５が閉じられる。
【００２５】
したがって、注出孔３５の開閉は、スライド部材Ｃを押すことによって開かれ、注出停止時には、押圧操作部２１から手指を離してオーバーキッャプＤを押下げるだけで注出孔を閉じることができるので、操作は極めて簡単となった。
【００２６】
前記実施例では、スライド部材を、ヒンジとの連結部によってキャップ本体とを一体成形しているが、スライド部材とキャップ本体を別体としてもよく、連結部をキャップ本体の上壁に立設した取付片に取付けるようにしてもよい。
また、連結部に取付片を設け、キャップ本体に取付片を嵌合する支持孔を設けるようにしてもよい。
【産業上の利用可能性】
【００２７】
オーバーキャップを被着した液注出容器において、キャップ本体に、オーバーキャップの注出孔を開閉する栓体を立設した流通孔を設けるとともに、スライド部材を配設し、スライド部材に傾斜係合部を設け、オーバーキャップに傾斜係合部に係合する係合片を設け、スライド部材を押圧することによってオーバーキャップを上昇させ、注出孔を開くようにしているので、注出孔の開閉操作が簡単となり、各種の内容物の液注出容器として、広く利用できるようになった。
【図面の簡単な説明】
【００２８】
【図１】本発明の液注出容器の断面立面図である。
【図２】キャップ本体の説明図で、（ａ）は上面図、（ｂ）は断面立面図である。
【図３】キャップ本体の説明図で、（ａ）は立面図、（ｂ）は図（ａ）のＡ−Ａ線における側壁と案内部材の拡大断面図である。
【図４】オーバーキャップの説明図で、（ａ）は断面立面図、（ｂ）は下面図である。
【図５】スライド部材の押圧操作時の断面立面図である。
【符号の説明】
【００２９】
Ａ          容器
Ｂ          キャップ本体
Ｃ          スライド部材
Ｄ          オーバーキャップ
１          口筒部
２          肩部
３          胴部
４          底部
５、１１    ねじ
６          ネックリング
７、２５    上壁
８、２６、３２  外周壁
９          取付筒
１０        密封リング
１２        嵌合筒
１３ａ，ｂ  膨出突条
１４        流通孔
１５        連杆
１６        栓体
１７        位置決め部材
１８        係止リブ
１９        係止突条
２０        ヒンジ
２１        押圧操作部
２２        傾斜係合部
２２ａ      傾斜面
２２ｂ      水平面
２３        弾性変形部
２４        連結部
２５ａ      上面
２７        側壁
２８        リブ
２９        案内部材
２９ａ      突条
３０        凹部
３１        頂壁
３３        内筒
３４        注出筒
３５        注出孔
３６        外筒
３７        係合片
３８        廻り止めリブ
３９        係合突条
４０、４１  切欠部
【図１】
0005042726.tif 000002
【図２】
0005042726.tif 000003
【図３】
0005042726.tif 000004
【図４】
0005042726.tif 000005
【図５】
0005042726.tif 000006